(57)【要約】【課題】陸線によるサービスのない場所に、フル機能スピーカホン機能を持ち込むことを目的とする。【解決手段】本発明は、フル機能のスピーカホンがワイヤレス電話機ハンドセットと共に使用されることを可能にするジャック又はプラグを有するスピーカホンである。１つの実施例では、ジャックは、スピーカホンに取付けられる。ケーブルにより、このジャックを使用するスピーカホンと、ワイヤレス電話機ハンドセットのヘッドセットジャックを接続することが可能である。別の実施例では、ケーブルは、スピーカホンに内蔵される。別の実施例では、スピーカホンは、内部電源により動作される。【選択図】図１
2005312041.tif 000002
【特許請求の範囲】
【請求項１】
電話網に接続するための第１のリンクと、
マイクロホンと、
スピーカと、
接続手段と、
前記第１のリンク、前記マイクロホン、前記スピーカ、及び前記接続手段に結合される電子モジュールと、
を含むスピーカホンであって、
前記電子モジュールは、前記第１のリンクを介して前記電話網から第１の信号を受信し、また、前記スピーカを介して音声として前記第１の信号を再生するよう動作可能であり、
前記電子モジュールは、前記マイクロホンから第２の信号を受信し、また、前記第１のリンクを介して前記電話網に第３の信号を送信するよう動作可能であり、
前記電子モジュールは、前記接続手段から第４の信号を受信し、また、前記スピーカを介して音声として前記第４の信号を再生するよう動作可能であり、
前記電子モジュールは、前記第マイクロホンからの前記第２の信号を受信し、また、前記接続手段に第５の信号を送信するよう動作可能である、スピーカホン。
【請求項２】
前記接続手段は、ジャックである請求項１記載のスピーカホン。
【請求項３】
前記接続手段は、第１の端及び第２の端を有するケーブルであり、
前記ケーブルの前記第１の端は、前記電子モジュールに結合され、
前記第２の端は、プラグを含み、
前記電子モジュールは、前記プラグから前記第４の信号を受信し、また、前記プラグに前記第５の信号を送信するよう動作可能である請求項１記載のスピーカホン。
【請求項４】
前記スピーカホンに動力を供給するよう前記電子モジュールに結合される内部電源を更に含む請求項１乃至３のうちいずれか一項記載のスピーカホン。
【請求項５】
前記内部電源は、電池である請求項４記載のスピーカホン。
【請求項６】
前記第１のリンクは、有線アナログリンク、有線デジタルリンク、ワイヤレスアナログリンク、又はワイヤレスデジタルリンクである請求項１乃至３のうちいずれか一項記載のスピーカホン。
【請求項７】
前記有線アナログリンクは、ＰＳＴＮへの有線アナログリンクである請求項６記載のスピーカホン。
【請求項８】
前記有線デジタルリンクは、ＩＳＤＮリンク又はＰＢＸリンクである請求項６記載のスピーカホン。
【請求項９】
前記ジャックは、ワイヤレス電話機ハンドセットのヘッドセットジャックに適合する請求項２記載のスピーカホン。
【請求項１０】
前記ジャックは、２．５ｍｍヘッドセットジャックである請求項９記載のスピーカホン。
【請求項１１】
前記ワイヤレス電話機ハンドセットは、セルラ電話機ハンドセット又は衛星電話機ハンドセットである請求項９記載のスピーカホン。
【請求項１２】
前記ジャックは、前記ジャックにプラグが挿入されると、前記電子モジュールを前記第１のリンクから切断するよう動作可能な機械的スイッチを含む請求項２記載のスピーカホン。
【請求項１３】
前記電子モジュールは、前記ジャックにプラグが挿入されると、前記第１のリンクから該電子モジュールを切断するよう動作可能である請求項２記載のスピーカホン。
【請求項１４】
前記第３の信号を生成するための前記第２の信号の前記電子モジュールによる処理は、音響エコー消去、動的ノイズ低減及び補償、自動利得制御、及び、インテリジェントマイクロホンミキシングを有するゲート制御されるマイクロホンの処理のうち１つ以上の処理を含む請求項１乃至１３のうちいずれか一項記載のスピーカホン。
【請求項１５】
会議呼をセットアップするために、ワイヤレス電話機ハンドセットを有し、電話網へのインタフェースを含むスピーカホンを用いる方法であって、
前記ワイヤレス電話機ハンドセットのヘッドホン出力を、前記スピーカホンにおけるスピーカに接続する段階と、
前記スピーカホンのマイクロホン出力を、前記ワイヤレス電話機ハンドセットの外部マイクロホン入力に接続する段階と、
前記ワイヤレス電話機ハンドセットを介して、相手方に接続する段階と、
前記相手方から第１の信号を受信する段階と、
前記第１の信号を、前記スピーカホンにおける前記スピーカを介して音声として再生する段階と、
前記スピーカホンにおける前記マイクロホンから第２の信号を受信する段階と、
前記相手方に、第３の信号を送信する段階と、
を含む方法。
【請求項１６】
携帯可能な電源により前記スピーカホンに動力を供給する段階を更に含む請求項１５記載の方法。
【発明の詳細な説明】
【技術分野】
【０００１】
本発明は、スピーカホン、より具体的には、セルラ電話機接続を有するスピーカホンに係る。
【背景技術】
【０００２】
電話機は、長い間、通信のために必要不可欠な道具となってきた。電話機の種類を分類する多くの方法に基づいた多くのタイプの電話機がある。電話機は、アナログの一般電話サービス（ＰＯＴＳ）回線であり得る陸線、サービス総合デジタルネットワーク（ＩＳＤＮ）回線といったデジタルサービス回線、又は、Ｔ１又はＰＲＩ回線を使用するＰＢＸへのデジタルインタフェースを使用し得る。電話機は、電話網、従って別の電話機に接続するためにワイヤレス通信を使用する場合もある。これは、一般的に、電話機が電話網に接続するためにセルラネットワークを使用する場合には、セルラ電話機、又は、電話機が衛星を介して電話網に接続する場合には、衛星電話機として知られる。電話機は、基地局に接続するために無線波を用いてもよく、この基地局は、陸線を使って電話網に接続する。これは、一般的に、コードレスホンとして知られる。
【０００３】
電話機は、マイクロホンとイヤホンを含むハンドセットを有し得る。ユーザは、電話網のもう一方の端にいる別のユーザと会話をするために、ハンドセットを手に持ち、ハンドセットを頭の近くに支えなければならない。多くの電話機は、ユーザがハンドセットを支える必要のないハンドフリーオプションを有し得る。１つのそのようなオプションは、ヘッドセットであり、これは、一対一の会話には良好なオプションである。別のオプションは、一般的に、スピーカホンとして知られる。スピーカホンオプションでは、電話網のもう一方の端にいる別のユーザからの声が、スピーカを通して再生される。このスピーカからの音量は、一般的に、ハンドセット又はヘッドセットについているイヤホンよりかなり大きいので、多くの人がその声を聞くことができる。スピーカホンは更に、電話をかけている側のユーザの声を受信することのできるマイクロホンも有する。スピーカホンのスピーカからの音が、スピーカホンのマイクロホンに到達することができるので、正帰還をもたらし得る。従って、スピーカホンは、動作可能となるためには、通常の電話機よりも多くの処理を行わなければならない。スピーカホンは、幾らかのエコー消去を有する全二重モードで動作し得る。このモードでは、スピーカホンの一方の側のユーザは、別のユーザと同時に話をしながらもう一方の側のユーザの話を聞くことができる。スピーカホンは、一回に１人のみが話をして聞かれることが可能である半二重モードでのみ動作してもよい。相手方は、話をしている人が完全に話すのを止めるまで聞かれることができない。特に、全二重モードにおける余分な処理は、一般的に、スピーカホンを、スピーカホン機能を有さない電話機よりも複雑且つ高価とする。ハンドフリーでの電話の会話を可能にする能力は、ある状況においてはスピーカホンを快適なオプションにする。多くのユーザが電話会議に参加することを可能にする能力は、スピーカホンを、多くのビジネスにおけるといったように多くの状況において、必要不可欠な設備部品とする。全ての事務所の実質的に全ての会議室には、多くのフル機能（ｆｕｌｌ−ｆｅａｔｕｒｅｄ）のスピーカホンが設置されている。
【発明の開示】
【発明が解決しようとする課題】
【０００４】
スピーカホンは、その複雑性により、一般的に、よりかさばり、より多くの電力を消費する。スピーカホンは、一般的に、会議室の机の上に置かれ、陸線及び電源ソケットに接続される。スピーカホンは、ワイヤレス接続を使用してこなかった。このワイヤレス接続が使用できないことは、フル機能スピーカホンの使用を制限している。
【０００５】
例えば、移動事務所又は仮事務所といったように、スピーカホンが必要となり得る他の状況が多々ある。一般的に、移動事務所又は仮事務所では、陸線にアクセスすることは困難であり、追加の陸線を付加することは更に困難であるが、ワイヤレス接続を付加することは、比較的安価で容易である。多くの状況において、ワイヤレス接続を付加することは、ワイヤレス電話機ハンドセットを、その場所に持ち込むことにより単純に行われる。陸線による電話網が未発達の世界の多くの場所において、セルラ又は衛星接続は、電話網へのアクセスを得る唯一の経済的な方法であり得る。陸線へのアクセスが困難な場所において、スピーカホンを利用可能にする必要性がある。
【０００６】
この問題を対処すべく幾つかの試みがなされてきた。一部の供給メーカは、一部のセルラ電話機にスピーカホン機能を付加するためのその特定セルラ電話機用のアクセサリを販売する。例えば、ＣＣＭ  Ｃｌｉｐ  ｎ  Ｇｏ付属部品は、モトローラＶｘｘシリーズ又はノキア３３ｘｘシリーズのセルラ電話機にスピーカホン機能を付加し得る。Ｄｏｃｋ‘Ｎ’Ｔａｌｋスピーカホンシステムは、モトローラスタートーク（ＳｔａｒＴａｌｋ）シリーズセルラ電話機にスピーカホン機能を付加し得る。これらのアクセサリは全て低品質の追加物であり、非常に制限された能力しかない。これらのアクセサリは、ハンドフリー会話をサポートすることは可能だが、セルラ電話網を介した電話会議には辛うじて使用可能であるのみである。従って、フル機能で、会議可能なスピーカホンを、セルラ電話機のユーザに利用可能にする必要性が依然としてある。
【０００７】
フル機能スピーカホンの大規模設置基盤をうまく利用する方法及び装置があり、それらをより有用にすることが好適である。陸線によるサービスのない場所に、フル機能スピーカホン機能を持ち込むことが好適である。
【課題を解決するための手段】
【０００８】
本発明の実施例は、フル機能スピーカホンにワイヤレスリンクを付加するために共通のソケット及びケーブルを使用する。それらは更に、フル機能のスピーカホンを、ワイヤレス電話機ハンドセットがあるところにはどこにでも持ち込みする。本発明の１つの実施例では、ジャックがスピーカホンに付加される。２つのコネクタを有するケーブルを用いて、スピーカホンを１つの端に、ワイヤレス電話機をもう１つの端に接続し得る。ケーブルの１つのコネクタが、この新規のヘッドセットジャックに差し込みされ得る。ケーブルのもう１つのコネクタは、ワイヤレス電話機のヘッドセットコネクタに差し込みされ得る。ワイヤレス電話機にとっては、スピーカホンは、マイクロホンとイヤホンを有する一般的なヘッドセットに過ぎない。スピーカホンにとっては、ワイヤレス電話機は、処理したマイクロホン信号の出力であり、また、スピーカ用の入力である。
【０００９】
１つの実施例では、スピーカホンのジャックは、一般的な３線ヘッドセットジャックであり、１つの線接点が、マイクロホン信号、スピーカ信号、及びグランドである３つの信号のそれぞれに対してある。
【００１０】
別の実施例では、スピーカホンのジャックは、ＵＳＢジャックといった標準ジャックである。
【００１１】
別の実施例では、スピーカホンは、電池により動力が供給されるスピーカホンである。
【発明を実施するための最良の形態】
【００１２】
本発明では、ワイヤレス電話機接続が、陸線に基づくスピーカホンに加えられる。この新規の接続性は、陸線を見つけるのが困難であるか、又は、陸線がスピーカホンをサポートできない地域において、既存のスピーカホンをより有用にする。
【００１３】
図１を参照するに、スピーカホン１００は、電話コード１５０を用いて陸線１６０に接続される。スピーカホン１００は、複数のマイクロホン（１０２、１０４、１０６）とスピーカ（１１２、１１４）を有し得る。図１に示す実施例では、２つのスピーカ（１１２、１１４）と３つのマイクロホン（１０２、１０４、１０６）が設置されるが、１つのスピーカ及び１つのマイクロホンだけが必要とされる。任意の数のスピーカ又はマイクロホンを設置してもよい。スピーカホン１００は更に、様々な構成要素に結合される電子モジュール１２０を有する。このフル機能スピーカホン１００は、多くの機能及び能力を有し得る。例えば、スピーカホン１００は、標準の電話機キーパッド、オンフック／オフフックキー、会議キー、ミュートキー、音量上下キー、メニュキー、及びナビゲーションキーを有し得る。スピーカホン１００は更に、リダイアル、保留、及び、プログラマブル会議キーを含む３つのコンテキストに応じたソフトキーを有し得る。スピーカは、例えば、３００−４０００Ｈｚ又は２００−１２，０００Ｈｚの大きい周波数応答範囲を有する。コンソールマイクロホンも、似たような応答範囲を有し得る。スピーカホンは、全二重の音響的明瞭性、最大９フィート（１フィート＝３０．４８ｃｍ）のマイクロホンピックアップ範囲までの自動利得制御、及び、インテリジェントマイクロホンミキシング及びダイナミックノイズ低減機能を有するゲート制御されるマイクロホンを有し得る。これらの一般的な特徴を有するスピーカホンの１つの例は、本願の譲受人であるポリコム社からのＶＴＸ１０００である。
【００１４】
本発明の１つの実施例では、新規のジャック１３０が、スピーカホン１００に取付けられる。３線プラグ１３２を受容可能なジャック１３０と共に、ケーブル１３６は、スピーカホン１００をハンドセット式セルラ電話機１４０に接続することが可能である。ケーブル１３６は、２つのコネクタ１３２及び１３４を有することが好適である。それぞれ３線プラグ（１３２及び１３４）を有する。各線は異なる信号を運び、１つの線は、マイクロホン信号用であり、１つの線は、スピーカ信号用であり、さらに、もう１つの線は、共通又は地上信号を運ぶ。プラグ１３２、１３４のうちの１つは、スピーカホン１１０のジャック１３０に適合するよう設計される。もう１つのプラグ１３４、１３２は、セルラ電話機ハンドセット１４０上のヘッドセットジャック（図示せず）に差し込み可能である。一般的に、ジャック１３０は、２．５ｍｍセル電話機ヘッドセットコネクタであり、セル電話機からの出力を、ヘッドセットイヤホンを駆動するために供給し、また、ヘッドセットマイクロホンからセル電話機への入力を供給する。セル電話機ハンドセット１４０に対して、スピーカホン１００は、単なるマイクロホンとイヤホンを有するヘッドセットかのように機能する。スピーカホン１００のマイクロホン（１０２、１０４、１０６）は、会議参加者からの声を捕捉し、その声信号に何らかの処理を行う。例えば、スピーカホン１００のマイクロホン（１０２、１０４、１０６）は、会議参加者の声と、スピーカホンのスピーカ（１１２、１１４）からの音を捕捉する。スピーカホン１００は、エコー又はフィードフォワード効果を回避するようスピーカホン１００のスピーカ（１１２、１１４）に対応する信号の振幅を消去又は低減する。処理されたマイクロホン信号は、その信号が、ヘッドセットにおけるマイクロホンから直接来たかのように、マイクロホン線を介してセル電話機１４０に伝送される。セル電話機ハンドセット１４０からのイヤホン用の信号は、スピーカホン１００に供給される。この信号も更に処理され、増幅され、次に、スピーカホン１００のスピーカ１１２及び１１４を介して再生される。スピーカホン１００に関して、セル電話機ハンドセット１４０は、処理されたマイクロホン信号用の出力と、スピーカ増幅器用の入力に過ぎない。
【００１５】
この新規のジャックは、一部の従来技術のスピーカホンにある一般的なヘッドセットジャックに非常に機械的に類似し得るが、この新規のジャックは、スピーカホンの他の部分に対する電気接続及び機能性という意味で非常に異なる。一般的な従来技術のスピーカホンヘッドセットジャックは、ヘッドセットがジャックに差し込まれると、ジャックは、スピーカホンにおけるマイクロホンとスピーカを切断し、その機能を無効にする。スピーカホンは、ベースセットとして機能し、ヘッドセットはヘッドセットとして機能する。スピーカ信号は、スピーカホンから供給され、マイクロホン信号は、スピーカホンに供給される。
【００１６】
対照的に、同様のプラグが、この新規のジャックに差し込まれると、スピーカホンにおけるマイクロホンとスピーカは、その機能が無効にされない。スピーカホンは、接続されたワイヤレス電話機のヘッドセットとして機能し、接続されたワイヤレス電話機は、ベースとして機能する。この新規のジャックでは、スピーカ信号は、スピーカホンに供給され、マイクロホン信号は、スピーカホンから供給される。
【００１７】
ヘッドセットがヘッドセットコネクタに挿入されると、セル電話機ハンドセットのマイクロホン及びスピーカの機能を無効にすることは、セル電話機ハンドセットにおいて一般的である。セル電話機ハンドセットは、機械的又は電子的に、ヘッドセットの存在を自動的に検出することが可能である。同様に、プラグが、スピーカホンのジャックに差し込まれると、スピーカホンは、セル電話機ハンドセットからの信号の存在を自動的に検出し、陸線への接続を切断し得る。このようにして、陸線を介した電話網への接続と、セル電話機を介した電話網への接続は互いにコンフリクトしなくなる。セル電話機ハンドセットと同様に、陸線リンクとセル電話機リンクとの間での切替えも、機械的マイクロスイッチ又は電子ロジックにより自動的であり得る。機械的マイクロスイッチは、ジャック自体の中に埋込みされてもよい。
【００１８】
図２を参照するに、本発明の別の実施例２００を示す。この実施例２００は、スピーカホン２００は、電気ケーブル２５０を介して直接陸線２０に接続されないということ以外は、図１に示す実施例１００と基本的に同じである。その代わり、スピーカホン２００は、スピーカホン２００のアンテナ２５２と、基地局２５６のアンテナ２５４間の無線リンクを介して陸線電話網２６０に接続される。基地局２５６は、電気ケーブル２５０により陸線電話網２６０に直接接続される。スピーカホン２００と基地局２５６間の接続は、多くの無線周波数技術のうちの１つである。無線周波数技術は、音声暗号化を有する２．４ＧＨｚ  ＷＤＴＣ技術か、又は、９００ＭＨｚ無線周波数接続であり得る。スピーカホン２００の全ての他の機能性は、図１に示す機能性と同じである。例えば、スピーカホン２００は、同じマイクロホン２０２、２０４、及び２０６と、同じスピーカ２１２及び２１４と、電気モジュール２２０と、ケーブル２３６及びプラグ２３２及び２３４を介してセル電話機ハンドセット２４０に接続可能なジャック２３０とを有する。
【００１９】
図２に示す実施例を依然として参照するに、スピーカホン２００は、スピーカホン２００と電話網の間に線がないので、電池（図示せず）により動力が与えられ得る。このスピーカホン２００は、線とからむことなく、会議室のどこにでも配置し得る。このスピーカホン２００は、セルラ電話機ハンドセット２４０を介するワイヤレス接続を行うために追加のジャック２３０を有し得る。このような状況では、スピーカホン２００は、基地局２５６と通信しない。従って、セルラ電話ハンドセットと、電池により動力が与えられるスピーカホンを用いることは、セル電話機がシステムに接続可能な任意の場所において、高品質の会議呼が起きることを可能にする。更に、ワイヤレスハンドセット２４０が衛星電話機である場合は、フル機能電話会議は、空の視野がある任意の場所において行われ得る。
【００２０】
スピーカホンが、セル電話機リンクを介して接続されると、特に、オーディオ処理といったスピーカホン又はセル電話機上にある全ての機能は、セル電話機会議呼のために利用可能である。スピーカホンのマイクロホンからのオーディオ信号は、相手方に伝送される前に、スピーカホン内のオーディオプロセッサにより処理される。スピーカホンにおいて利用可能な機能と、特定の会議呼の必要に基づいて、以下の処理のうちの１つ以上又は幾つかの組合わせを行い得る。１つの処理は、全二重オーディオ会議を可能にする音響エコー消去である。全二重オーディオ会議では、会議参加者は、交替で話しをするのではなく、又は、話の途中で中断される危険性なく、全員自然に話すことができ、セル電話機リンクの反対側にいる人々に聞かれることが可能である。スピーカホンは更に、背景ノイズが快適なレベルにあるよう動的ノイズ低減及び補償を作動し得る。第３の追加処理は、相手方に伝送された音レベルが安定且つ理解可能であるようにする自動利得制御であり得る。第４の処理は、マイクロホンの動的ゲート制御であり得る。複数のマイクロホンを有するスピーカホンシステムでは、マイクロホンは、誰かがそのマイクロホンに話しかけているときにのみゲート制御される、即ち、開かれる。マイクロホンにおいて、背景ノイズのみがある場合は、そのマイクロホンは、閉じられる。即ち、そのマイクロホンの信号は、オーディオミキサにより無視される。全てのゲート制御されたマイクロホン信号が混合され、オーディオ信号を形成する。結果として得られる信号は、向上したノイズ対信号比を有する。ワイヤレス電話機リンクを有するスピーカホンには、多くの他の処理が組み込まれることが可能である。上述した４つの処理は、例示目的のための一部の例に過ぎない。
【００２１】
図３は、本発明のもう１つの実施例を示す。この実施例は、スピーカホン３００自体に取付けられるケーブル３３６を有する点以外は、図１及び図２における実施例と同じである。ケーブル３３６のもう１つの端には、セル電話機ハンドセット３４０に差し込めるよう動作可能であるプラグ３３４がある。１つの好適なプラグは、標準の２．５ｍｍセル電話機ヘッドセットコネクタである。この実施例では、別個の２コネクタケーブルを必要とせず、接続が必要なときに、スピーカホン−セル電話機接続用のケーブルを無くす可能性を排除する。
【００２２】
図４は、標準２．５ｍｍセル電話機ヘッドセットコネクタとケーブル４５０、スピーカホン（スピーカホンは図示せず）のジャック４３０、及び、ワイヤレス電話機ハンドセット４４０を示す。３つの接続のために３つの線又は接点がある。１つの接続は各信号用であり、マイクロホン（４３１、４４１、４５１）用の信号と、スピーカ（４３３、４４３、４５３）用の信号と、共通グランド（４３５、４４５、４５５）用の信号を含む。プラグが、スピーカホンのジャック４３０に差し込まれると、マイクロホン及びスピーカ用の接点４３１及び４３３は、それぞれ、僅かに動き、電話ケーブル（例えば、３５０）と、スピーカホン（例えば、３００）における電子モジュール（例えば、３２０）との間の接続を機械的に切断し得る。
【００２３】
標準２．５ｍｍセル電話機ヘッドセット接続に追加して、本発明の別の実施例では、別のジャック／コネクタを用いてもよい。図５を参照するに、このコネクタは、４線コネクタ５１０であり得る。４つの線又は接点のうち、１つの線又は接点５１１は、電源用であり、１つの線又は接点５１４は、グランド用であり、真ん中の２つの線又は接点５１２及び５１３は、データ信号用である。このようなコネクタの１つの例は、標準ＵＳＢコネクタである。多くのセル電話機は、アナログ音声信号を送信可能であるのみならず、ＵＳＢコネクタを介して、ノートブックコンピュータ又はＰＤＡといった他の電子装置とデジタル信号を用いて通信可能である。
【００２４】
ＵＳＢコネクタの付加は、セル電話機をスピーカホンに接続することを容易にし、追加のデジタルデータは、制御情報、請求情報、及び、会議呼の間に議論された文書に関する他のデータといった他の情報を通信するために使用され得る。
【００２５】
本発明は、狭帯域セル電話機のみに適用可能ではなく、広帯域セル電話機にも適用可能である。
【００２６】
本願では、ソケット又はジャックは、別の回路と接続するためにプラグと共に使用される、電気回路におけるメス型接続部品である。プラグは、その接続のために使用される対応オス型接続部品である。ケーブルは、複数の電気経路の接続のために２つ以上のプラグと複数の線を有し得る。プラグは、図４に示すものと同一であってもよく、ここでは、両方のプラグは、標準の２．５ｍｍステレオプラグである。このプラグは、接続するスピーカホンとワイヤレス電話ヘッドセットに対応するよう様々なサイズ、更には様々なタイプであり得る。
【００２７】
上述したように、本発明の実施例は、フル機能スピーカホンの能力を拡張し、それらの機能を、ワイヤレス電話機サービスが利用可能である任意の場所において利用可能であるようにし、また、これらの機能を、電力サービス又は陸線電話サービスがない場合でも利用可能にする。
【００２８】
本発明の例示的な実施例を図示し且つ説明したが、本発明の精神及び範囲から逸脱することなく様々な変更を行うことが可能であることを理解するものとする。
［関連出願への相互参照］
本願は、同じ発明者及び同じ名称で２００４年の４月１６日に出願した仮特許出願番号６０／５６２，７８２の優先権を主張する。この仮特許出願は、本願に組み込む。本願は、本願と同日に出願し、同じ譲受人に割当てられ、ジェッド・ウィルソン（Ｊｅｄ  Ｗｉｌｓｏｎ）、ケイト・ノガレーデ（Ｋａｔｅ  Ｎｏｇａｒｅｄｅ）、及びグレッグ・ロウシュ（Ｇｒｅｇ  Ｒｏｕｓｃｈ）による、「Ｍｅｔｈｏｄ  ａｎｄ  Ａｐｐａｒａｔｕｓ  ｆｏｒ  Ｖｉｄｅｏｃｏｎｆｅｒｅｎｃｅ  Ｉｎｔｅｒａｃｔｉｏｎ  ｗｉｔｈ  Ｂｌｕｅｔｏｏｔｈ−ｅｎａｂｌｅｄ  Ｃｅｌｌｕｌａｒ  Ｔｅｌｅｐｈｏｎｅ」なる名称の別の特許出願（整理番号１９９−０２２５ＵＳ）に関連する。
【図面の簡単な説明】
【００２９】
【図１】電話網へのワイヤレスリンクのためのワイヤレス電話ハンドセットを接続するためのジャックを有するスピーカホンが、電話コードにより陸線に接続された本発明の１つの実施例を示す図である。
【図２】電話網へのワイヤレスリンクのためのワイヤレス電話ハンドセットを接続するためのジャックを有するスピーカホンが、ＲＦと有線電話網に接続する基地局を介して陸線に接続された本発明の別の実施例を示す図である。
【図３】取付けケーブルを有すること以外は図１の実施例と同じ実施例を示す図である。
【図４】プラグを有する標準３線ジャックを示す図である。
【図５】４線ジャックを示す図である。
【符号の説明】
【００３０】
１００、２００、３００  スピーカホン
１０２、１０４、１０６、２０２、２０４、２０６、３０２、３０４、３０６、４３１、４４１、４５１  マイクロホン
１１２、１１４、２１２、２１４、３１２、３１４、４３３、４４３、４５３  スピーカ
１２０、２２０、３２０  電子モジュール
１３０、２３０、４３０  ジャック
１３２、１３４、２３２、２３４  コネクタ
１３６、２３６、３３６  ケーブル
１４０、２４０、３４０、４４０  ハンドセットセルラ電話機
１５０、２５０、３５０  電話コード
１６０、２６０、３６０  陸線
２５２、２５４  アンテナ
２５６  基地局
３３４  プラグ
４５０  ケーブル
【図１】
2005312041.tif 000003
【図２】
2005312041.tif 000004
【図３】
2005312041.tif 000005
【図４】
2005312041.tif 000006
【図５】
2005312041.tif 000007